【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
トリクル充電モードから、急速充電モードに移行してバッテリーを充電する前記バッテリーの制御回路において、前記バッテリーからシステムへ給電可能であることを判定する判定方法であって、
前記急速充電モード時にバッテリー電圧ＶBATが下記式（１）を満たす場合に前記バッテリーが給電可能であると判定することを特徴とするバッテリー給電可能判定方法。
ＶBAT＞ＶTKL＋ΔＶ＋ＶACC  （１）
（ＶTKL：前記トリクル充電完了時の前記バッテリー電圧、ΔＶ＝ＩCC×ｒ、ＩCC：定電流充電モードの電流、ｒ：前記バッテリーの内部インピーダンス、ＶACC：前記バッテリーの放電可能検出電圧）
【請求項２】
トリクル充電モードから、急速充電モードに移行してバッテリーを充電する前記バッテリーの制御回路において、前記バッテリーからシステムへ給電可能であることを判定する判定方法であって、
前記急速充電モード時にバッテリー電流ＩBATが所定の電流値ＩVAL以下となり、かつバッテリー電圧ＶBAT≧充電停止判定電圧ＶEOCとなった場合に前記バッテリーが給電可能であると判定することを特徴とするバッテリー給電可能判定方法。
【請求項３】
トリクル充電モードから、定電流急速充電モードと定電圧急速充電モードからなる急速充電モードに移行してバッテリーを充電する前記バッテリーの制御回路において、前記バッテリーからシステムへ給電可能であることを判定する判定方法であって、
バッテリー電圧ＶBAT≦充電停止判定電圧ＶEOCかつ、前記バッテリー電圧ＶBATが下記式（１）を満たす場合か、
ＶBAT＞ＶTKL＋ΔＶ＋ＶACC    （１）
（ＶTKL：前記トリクル充電完了時の前記バッテリーの電圧、ΔＶ＝ＩCC×ｒ、ＩCC：定電流充電モードの電流、ｒ：前記バッテリーの内部インピーダンス、ＶACC：前記バッテリーの放電可能検出電圧）
ＶBAT≧ＶEOCかつ、バッテリー電流ＩBAT＜所定の電流値ＩVALを満たす場合か
のどちらかを満たす場合に前記バッテリーが給電可能であると判定することを特徴とするバッテリー給電可能判定方法。
【請求項４】
請求項１乃至３のいずれか一項に記載の判定方法によってバッテリーが給電可能であると判定されたとき、前記バッテリーからシステムへ電力を供給するようにすることを特徴とするバッテリー充放電切替方法。
【請求項５】
トリクル充電手段と、定電流急速充電手段と、第１のバッテリー給電判定手段と、バッテリー給電切替手段と、を備えるバッテリー充放電装置であって、
前記第１のバッテリー給電判定手段が、バッテリー電圧ＶBATが下記式（１）を満たすと、前記バッテリー給電切替手段をオンにする信号を生成することを特徴とするバッテリー充放電装置。
ＶBAT＞ＶTKL＋ΔＶ＋ＶACC    （１）
（ＶTKL：前記トリクル充電完了時の前記バッテリーの電圧、ΔＶ＝ＩCC×ｒ、ＩCC：定電流充電モードの電流、ｒ：前記バッテリーの内部インピーダンス、ＶACC：前記バッテリーの放電可能検出電圧）
【請求項６】
トリクル充電手段と、定電圧急速充電手段と、第２のバッテリー給電判定手段と、バッテリー給電切替手段とを備えるバッテリー充放電装置であって、
前記第２のバッテリー給電判定手段が、バッテリー電流ＩBATが所定の電流値ＩVAL以下になり、かつバッテリー電圧ＶBAT≧充電停止判定電圧ＶEOCとなると、前記バッテリー給電切替手段をオンにする信号を生成することを特徴とするバッテリー充放電装置。
【請求項７】
トリクル充電手段と、定電流急速充電手段と、定電圧急速充電手段と、急速充電モード判定手段と、第１のバッテリー給電判定手段と、第２のバッテリー給電判定手段と、バッテリー給電切替手段と、を備えるバッテリー充放電装置であって、
前記第１のバッテリー給電判定手段が、バッテリー電圧ＶBATが下記式（１）を満たすと、前記バッテリー給電切替手段をオンにする信号を生成し、
ＶBAT＞ＶTKL＋ΔＶ＋ＶACC    （１）
（ＶTKL：前記トリクル充電完了時の前記バッテリーの電圧、ΔＶ＝ＩCC×ｒ、ＩCC：定電流充電モードの電流、ｒ：前記バッテリーの内部インピーダンス、ＶACC：前記バッテリーの放電可能検出電圧）
前記第２のバッテリー給電判定手段が、バッテリー電流ＩBATが所定の電流値ＩVAL以下になり、かつＶBAT≧充電停止判定電圧ＶEOCとなると、前記バッテリー給電切替手段をオンにする信号を生成する
ことを特徴とするバッテリー充放電装置。
【請求項８】
前記式（１）におけるＶTKL＋ΔＶは前記トリクル充電モードから前記急速充電モードに切り替わった時点の前記バッテリー電圧を測定することにより求めることを特徴とする請求項１または３に記載のバッテリー給電可能判定方法。
【請求項９】
前記式（１）におけるＶTKL＋ΔＶはトリクル充電から急速充電に切り替わった時点のバッテリー電圧を測定することにより求めることを特徴とする請求項５または７に記載のバッテリー充放電装置。
【手続補正２】
【補正対象書類名】明細書
【補正対象項目名】０００９
【補正方法】変更
【補正の内容】
【０００９】
請求項２に記載の発明は、トリクル充電モードから、急速充電モードに移行してバッテリーを充電する前記バッテリーの制御回路において、前記バッテリーからシステムへ給電可能であることを判定する判定方法であって、前記急速充電モード時にバッテリー電流ＩBATが所定の電流値ＩVAL以下となり、かつバッテリー電圧ＶBAT≧充電停止判定電圧ＶEOCとなった場合に前記バッテリーが給電可能であると判定することを特徴とする。
【手続補正３】
【補正対象書類名】明細書
【補正対象項目名】００１０
【補正方法】変更
【補正の内容】
【００１０】
請求項３に記載の発明は、トリクル充電モードから、定電流急速充電モードと定電圧急速充電モードからなる急速充電モードに移行してバッテリーを充電する前記バッテリーの制御回路において、前記バッテリーからシステムへ給電可能であることを判定する判定方法であって、バッテリー電圧ＶBAT≦充電停止判定電圧ＶEOCかつ、前記バッテリー電圧ＶBATが下記式（１）を満たす場合、ただし、ＶBAT＞ＶTKL＋ΔＶ＋ＶACC    （１）、ＶTKL：前記トリクル充電完了時の前記バッテリーの電圧、ΔＶ＝ＩCC×ｒ、ＩCC：定電流充電モードの電流、ｒ：前記バッテリーの内部インピーダンス、ＶACC：前記バッテリーの放電可能検出電圧である、場合か、ＶBAT≧ＶEOCかつ、バッテリー電流ＩBAT＜所定の電流値ＩVALを満たす場合かのどちらかを満たす場合に前記バッテリーが給電可能であると判定することを特徴とする。
【手続補正４】
【補正対象書類名】明細書
【補正対象項目名】００１３
【補正方法】変更
【補正の内容】
【００１３】
請求項６に記載の発明は、トリクル充電手段と、定電圧急速充電手段と、第２のバッテリー給電判定手段と、バッテリー給電切替手段とを備えるバッテリー充放電装置であって、前記第２のバッテリー給電判定手段が、バッテリー電流ＩBATが所定の電流値ＩVAL以下になり、かつバッテリー電圧ＶBAT≧充電停止判定電圧ＶEOCとなると、前記バッテリー給電切替手段をオンにする信号を生成することを特徴とする。
【手続補正５】
【補正対象書類名】明細書
【補正対象項目名】００１４
【補正方法】変更
【補正の内容】
【００１４】
請求項７に記載の発明は、トリクル充電手段と、定電流急速充電手段と、定電圧急速充電手段と、急速充電モード判定手段と、第１のバッテリー給電判定手段と、第２のバッテリー給電判定手段と、バッテリー給電切替手段と、を備えるバッテリー充放電装置であって、前記第１のバッテリー給電判定手段が、バッテリー電圧ＶBATがＶBAT＞ＶTKL＋ΔＶ＋ＶACCを満たすと、前記バッテリー給電切替手段をオンにする信号を生成し、ここで、ＶTKL：前記トリクル充電完了時の前記バッテリーの電圧、ΔＶ＝ＩCC×ｒ、ＩCC：定電流充電モードの電流、ｒ：前記バッテリーの内部インピーダンス、ＶACC：前記バッテリーの放電可能検出電圧であり、前記第２のバッテリー給電判定手段が、バッテリー電流ＩBATが所定の電流値ＩVAL以下になり、かつＶBAT≧充電停止判定電圧ＶEOCとなると、前記バッテリー給電切替手段をオンにする信号を生成することを特徴とする。